(57)【要約】【課題】  端末における開閉状態及び回転・非回転状態の検出に係る部品点数を削減することができる携帯情報端末を提供する。【解決手段】  表示パネル４面を有する表示筐体２と、操作パネル５面を有する操作筐体３と、両筐体を折り畳み可能に連結する連結部６からなり、表示パネル面及び操作パネル面を内側に向けて折り畳んだ第１の端末状態と、表示パネル面及び操作パネル面を同一方向に向けて両筐体を展開させた第２の端末状態と、表示パネル面を外側に向けて折り畳んだ第３の端末状態とを磁気センサーにより識別する携帯情報端末１であって、磁気センサーが、表示筐体２における連結部６側に設けられたＭＲセンサーと、操作筐体３における連結部６側に設けられたホールセンサーと、連結部６に設けられた１つのマグネット１３からなるように構成される。【選択図】  図１
2005303688.tif 000002
【特許請求の範囲】
【請求項１】
表示パネル面を有する第１の筐体と、操作パネル面を有する第２の筐体と、第１の筐体及び第２の筐体を折り畳み可能に連結する連結部とからなり、
表示パネル面及び操作パネル面を内側に向けて折り畳んだ第１の端末状態と、表示パネル面及び操作パネル面を同一方向に向けて両筐体を展開させた第２の端末状態と、表示パネル面を外側に向けて折り畳んだ第３の端末状態とを磁気センサーにより識別する携帯情報端末において、
上記磁気センサーは、上記第１の筐体における連結部側に設けられた第１の磁気検出手段と、
上記第２の筐体における連結部側に設けられた第２の磁気検出手段と、
上記連結部に設けられた１つのマグネットとからなることを特徴とする携帯情報端末。
【請求項２】
上記連結部は、直交する２つの回転軸を有する２軸ヒンジからなり、第２の筐体に対し第１の筐体を当該筐体の長手方向に平行な第１の回転軸のまわりに回転可能に連結するとともに、操作パネル面に平行な第２の回転軸のまわりに回転可能に連結し、
上記マグネットは、第２の筐体に対し第１の筐体を上記第２の回転軸のまわりに回転させる開閉動作において、第１の磁気検出手段に対する相対的位置を変えることなく当該第１の磁気検出手段とともに回転するように配置されることを特徴とする請求項１に記載の携帯情報端末。
【請求項３】
上記第１の磁気検出手段は、上記第１の回転軸が取り付けられるフレームにおける当該回転軸に垂直な面上に設けられることを特徴とする請求項２に記載の携帯情報端末。
【請求項４】
上記第１の磁気検出手段は、第１の筐体の長手方向に平行な磁界を検出するホール素子からなり、
上記第２の磁気検出手段は、操作パネル面に平行な磁界を検出する磁気抵抗素子からなることを特徴とする請求項３に記載の携帯情報端末。
【請求項５】
上記第１の磁気検出手段は、表示パネル面に垂直な磁界を検出する磁気抵抗素子からなり、
上記第２の磁気検出手段は、操作パネル面に垂直な磁界を検出するホール素子からなることを特徴とする請求項３に記載の携帯情報端末。
【発明の詳細な説明】
【技術分野】
【０００１】
本発明は、携帯情報端末に係り、さらに詳しくは、表示パネル面及び操作パネル面を内側に向けて折り畳んだ第１の端末状態と、表示パネル面及び操作パネル面を同一方向に向けて両筐体を展開させた第２の端末状態と、表示パネル面を外側に向けて折り畳んだ第３の端末状態とを磁気センサーにより識別可能な携帯電話機などの携帯情報端末の改良に関する。
【背景技術】
【０００２】
近年、表示パネル面を外側に向けて折り畳むことができる携帯電話機が提案されている（例えば、特許文献１）。特許文献１に記載の携帯電話機は、表示パネル面を有する表示筐体と、操作パネル面を有する操作筐体と、両筐体を折り畳み可能に連結する連結部とを備え、連結部は、直交する２つの回転軸を有する２軸ヒンジからなる。
【０００３】
この携帯電話機では、表示パネル面及び操作パネル面を内側に向けて折り畳んだ端末状態（収納状態）と、表示パネル面及び操作パネル面を同一方向に向けて両筐体を展開させた端末状態（通常オープン状態）と、表示パネル面及び操作パネル面を反対方向に向けて両筐体を展開させた端末状態（逆オープン状態）と、表示パネル面を外側に向けて折り畳んだ端末状態（逆クローズ状態）とが遷移可能となっている。
【０００４】
通常オープン状態では、発信操作や、着信時における応答操作、通話などを行うことができ、逆クローズ状態では、電子メールの受信時における閲覧操作や、撮影操作などを行うことができる。各端末状態は、磁気センサーにより識別され、端末状態に応じた動作制御が行われる（例えば、特許文献２）。
【０００５】
図１３は、従来の折り畳み式の携帯電話機の構成例を示した外観斜視図である。この携帯電話機は、表示パネル１０３面を有する表示筐体１０１と、操作パネル１０４面を有する操作筐体１０２と、両筐体を折り畳み可能に連結する連結部１０５からなり、２組の磁気センサー１０６〜１０９により各端末状態の識別を行っている。磁気センサー１０６〜１０９は、操作パネル１０４面に平行な回転軸（第２の回転軸）のまわりの回転・非回転（開閉）状態を検出するための磁気検出手段１０６及びマグネット１０７と、表示筐体１０１の長手方向に平行な回転軸（第１の回転軸）のまわりの回転・非回転状態を検出するための磁気検出手段１０８及びマグネット１０９により構成される。
【０００６】
端末における開閉状態の検出用の磁気検出手段１０６は、表示筐体１０１における連結部１０５と反対側に設けられ、マグネット１０７は、操作筐体１０２における連結部１０５と反対側に設けられている。操作筐体１０２に対する表示筐体１０１の回転・非回転状態の検出用の磁気検出手段１０８は、表示筐体１０１における連結部１０５側に設けられ、マグネット１０９は、連結部１０５に設けられている。各磁気検出手段１０６及び１０８は、ホール効果を利用して磁界を検出するホール素子からなる。
【０００７】
操作筐体１０２に対し表示筐体１０１を第２の回転軸のまわりに回転させて両筐体を展開させる際に、磁気検出手段１０６がマグネット１０７から遠ざかることにより、開状態が検出される。一方、操作筐体１０２に対し表示筐体１０１を第２の回転軸のまわりに回転させて両筐体を折り畳む際に、磁気検出手段１０６がマグネット１０７に近接することにより、閉状態が検出される。また、操作筐体１０２に対して表示筐体１０１を第１の回転軸のまわりに回転させる際に、磁気検出手段１０８がマグネット１０９から遠ざかることにより、回転状態が検出される。一方、磁気検出手段１０８がマグネット１０９に近接することにより、非回転状態が検出される。
【０００８】
図１４（ａ）及び（ｂ）は、図１３の携帯電話機における端末状態を示した側面図であり、図１４（ａ）には、収納状態の様子が示され、図１４（ｂ）には、逆クローズ状態の様子が示されている。図１５（ａ）及び（ｂ）は、図１３の携帯電話機における端末状態を示した平面図であり、図１５（ａ）には、通常オープン状態の様子が示され、図１５（ｂ）には、逆オープン状態の様子が示されている。この様な磁気センサー１０６〜１０９による開閉状態及び回転・非回転状態の検出結果に基づいて、各端末状態を識別することができる。
【特許文献１】特開２００２−１７１１８９号公報
【特許文献２】特開２００３−２８３６２１号公報
【発明の開示】
【発明が解決しようとする課題】
【０００９】
上述した様な従来の携帯電話機では、端末における開閉状態及び回転・非回転状態を検出するのに磁気検出手段及びマグネットをそれぞれ設けなければならないので、部品点数の増加により製造コストが増大するとともに、構造が複雑化してしまうという問題があった。特に、小型化が求められる携帯電話機などの情報端末では、部品点数の増加により筐体内における部品密集度が増大してしまうという問題があった。
【００１０】
本発明は、上記事情に鑑みてなされたものであり、構造が複雑化することなく、各端末状態を識別することができる携帯情報端末を提供することを目的としている。特に、端末における開閉状態及び回転・非回転状態の検出に係る部品点数を削減することができる携帯情報端末を提供することを目的としている。
【課題を解決するための手段】
【００１１】
本発明による携帯情報端末は、表示パネル面を有する第１の筐体と、操作パネル面を有する第２の筐体と、第１の筐体及び第２の筐体を折り畳み可能に連結する連結部とからなり、表示パネル面及び操作パネル面を内側に向けて折り畳んだ第１の端末状態と、表示パネル面及び操作パネル面を同一方向に向けて両筐体を展開させた第２の端末状態と、表示パネル面を外側に向けて折り畳んだ第３の端末状態とを磁気センサーにより識別する携帯情報端末であって、上記磁気センサーが、上記第１の筐体における連結部側に設けられた第１の磁気検出手段と、上記第２の筐体における連結部側に設けられた第２の磁気検出手段と、上記連結部に設けられた１つのマグネットとからなるように構成される。
【００１２】
この様な構成によれば、連結部に設けられた１つのマグネットが第１の磁気検出手段及び第２の磁気検出手段による各端末状態の識別に共用されるので、磁気検出手段ごとにマグネットを設けるのに比べ、端末状態の検出に係る部品点数を削減することができる。
【００１３】
具体的には、上記連結部が、直交する２つの回転軸を有する２軸ヒンジからなり、第２の筐体に対し第１の筐体を当該筐体の長手方向に平行な第１の回転軸のまわりに回転可能に連結するとともに、操作パネル面に平行な第２の回転軸のまわりに回転可能に連結し、上記マグネットが、第２の筐体に対し第１の筐体を上記第２の回転軸のまわりに回転させる開閉動作において、第１の磁気検出手段に対する相対的位置を変えることなく当該第１の磁気検出手段とともに回転するように配置される。
【００１４】
さらに詳しくは、上記第１の磁気検出手段が、上記第１の回転軸が取り付けられるフレームにおける当該回転軸に垂直な面上に設けられる。この様な構成によれば、第１の磁気検出手段の取り付けが容易であるとともに、第１の磁気検出手段がマグネットに近接する位置に取り付けられるので、構造が複雑化することなく各端末状態を正確に識別することができる。特に、上記第１の磁気検出手段が、第１の筐体の長手方向に平行な磁界を検出するホール素子からなり、上記第２の磁気検出手段が、操作パネル面に平行な磁界を検出する磁気抵抗素子からなるように構成すれば、各磁気検出を効果的に行うことができる。
【００１５】
また、本発明による携帯情報端末は、上記構成に加え、上記第１の磁気検出手段が、表示パネル面に垂直な磁界を検出する磁気抵抗素子からなり、上記第２の磁気検出手段が、操作パネル面に垂直な磁界を検出するホール素子からなるように構成される。
【発明の効果】
【００１６】
本発明による携帯情報端末によれば、連結部に設けられた１つのマグネットが第１の磁気検出手段及び第２の磁気検出手段による各端末状態の識別に共用されるので、端末状態の検出、すなわち、携帯情報端末における開閉状態及び回転・非回転状態の検出に係る部品点数を削減することができる。従って、構造が複雑化することなく、各端末状態を識別することができる。
【発明を実施するための最良の形態】
【００１７】
実施の形態１．
図１は、本発明の実施の形態１による携帯情報端末の一構成例を示した外観斜視図である。本実施の形態による携帯情報端末１は、いわゆる回転型クラムシェル機構を有する折り畳み式の携帯電話機であり、表示パネル４面を有する表示筐体（第１の筐体）２と、操作パネル５面を有する操作筐体（第２の筐体）３と、表示筐体２及び操作筐体３を折り畳み可能に連結する連結部６からなる。この携帯情報端末１では、連結部６に設けられる１つのマグネット１３が各端末状態の識別に共用される。
【００１８】
表示筐体２は、薄型の箱体（ケーシング）であり、一方の主面上に、液晶表示素子からなるメインディスプレイを有する表示パネル４と、表示パネル４を挟んで連結部６側及び連結部６と反対側にレシーバー（図示せず）が設けられている。他方の主面上には、メインディスプレイよりも表示画面が小さいサブディスプレイ（図示せず）が設けられている。
【００１９】
操作筐体３は、表示筐体２と同一形状の箱体であり、一方の主面（前面）上に、各種操作キーからなる操作パネル５が設けられている。他方の主面（背面）上には、撮像素子からなるデジタルカメラなどが設けられている。また、操作筐体３の側面には、デジタルカメラによる撮影時にシャッター操作を行うためのサイドキー９が設けられている。
【００２０】
連結部６は、直交する２つの回転軸７及び８を有する２軸ヒンジからなり、操作筐体３に対し表示筐体２を当該表示筐体２の長手方向に平行な回転軸（第１の回転軸）８のまわりに回転可能に連結するとともに、操作パネル５面に平行な回転軸（第２の回転軸）７のまわりに回転可能に連結している。回転軸７は、操作筐体３の長手方向における先端面に沿って配置され、回転軸８は、表示筐体２の短手方向における中心位置に配置されている。
【００２１】
この連結部６により、表示パネル４面及び操作パネル５面を内側に向けて折り畳んだ収納状態（第１の端末状態）と、表示パネル４面及び操作パネル５面を同一方向に向けて両筐体を展開させた通常オープン状態（第２の端末状態）と、表示パネル４面及び操作パネル５面を反対方向に向けて両筐体を展開させた逆オープン状態と、表示パネル４面を外側に向けて折り畳んだ逆クローズ状態（第３の端末状態）とが遷移可能となっている。
【００２２】
各端末状態は、表示筐体２における連結部６側に設けられた第１の磁気検出手段１１と、操作筐体３における連結部６側に設けられた第２の磁気検出手段１２と、連結部６に設けられた１つのマグネット１３とからなる磁気センサーにより識別される。
【００２３】
マグネット１３は、操作筐体３に対し表示筐体２を回転軸７のまわりに回転させる開閉動作において、第１の磁気検出手段１１に対する相対的位置を変えることなく当該第１の磁気検出手段１１とともに回転するように配置される。つまり、両筐体の開閉動作において、表示筐体２と一体となって回転軸７のまわりに回転する連結部６内にマグネット１３が設けられている。
【００２４】
図２（ａ）〜（ｄ）は、図１の携帯情報端末における端末状態の遷移の一例を示した側面図であり、図２（ａ）には、収納状態の様子が示され、図２（ｂ）には、通常オープン状態の様子が示され、図２（ｃ）には、逆オープン状態の様子が示され、図２（ｄ）には、逆クローズ状態の様子が示されている。
【００２５】
収納状態は、表示パネル面４ａ及び操作パネル面５ａを対向させながら両筐体をクローズした状態であり、端末は待ち受けモードとなっている。この収納状態から両筐体をオープンさせると、通常オープン状態となる。
【００２６】
通常オープン状態では、オフフックキーによる発信操作や、着信時における応答操作、デジタルカメラ２１による撮影操作、電子メールの編集操作、受信した電子メールの閲覧操作、電子電話帳の検索操作、インターネット接続時におけるウエブサイトの閲覧操作などが行われる。発信時や着信時には、入力した発信先電話番号や発信元番号などがメインディスプレイに表示される。また、撮影時には、撮影した画像がメインディスプレイにファインダーとして表示される。
【００２７】
この様な通常オープン状態から操作筐体３に対し表示筐体２を回転軸８のまわりに１８０°回転させると、逆オープン状態となる。この逆オープン状態から表示パネル面４ａを外側に向けて両筐体をクローズさせると、逆クローズ状態となる。
【００２８】
逆クローズ状態（ビューワスタイル状態ともいう）では、サイドキーによる発信操作や、着信時における応答操作、通話、撮影操作、メール受信時における閲覧操作、ウエブサイトからダウンロードした情報の閲覧操作などが行われる。この逆クローズ状態における画面表示及びレシーバーによる音声出力の切り替えは、端末状態の識別結果に基づいて行われる。
【００２９】
図３（ａ）〜（ｃ）は、図１の携帯情報端末における端末状態の遷移の一例を示した図であり、図３（ａ）には、マグネット１３による磁界の様子が示され、図３（ｂ）には、操作筐体３に対する表示筐体２の開閉時におけるマグネット１３及び第２の磁気検出手段１２の様子が示され、図３（ｃ）には、操作筐体３に対する表示筐体２の回転・非回転時におけるマグネット１３及び第１の磁気検出手段１１の様子が示されている。
【００３０】
マグネット１３は、薄型の直方体形状の磁石片であり、ここでは、主面に垂直な方向に磁界を形成するものが用いられる。すなわち、マグネット１３における一方の主面が磁極のＮ極、他方の主面がＳ極となっており、マグネット１３を貫く磁力線は、主面に垂直となっている。マグネット１３は、端末が閉状態にあるとき主面が操作パネル面５ａと直交し、端末が開状態にあるとき主面が操作パネル面５ａと平行になるように配置されている。すなわち、マグネット１３は、主面が回転軸７と常に平行になるように配置されている。
【００３１】
操作筐体３に対し表示筐体２を回転軸７のまわりに回転させて両筐体を開閉する際、第２の磁気検出手段１２に対するマグネット１３の相対的位置の変化に応じて、第２の磁気検出手段１２を貫く磁力線が変化する。特に、第２の磁気検出手段１２における主面に平行な磁力線が変化する。第２の磁気検出手段１２は、この磁界の変化に基づいてオン・オフするスイッチングデバイスであり、磁気検出素子からなる。この第２の磁気検出手段１２は、端末における開閉状態に応じた検出信号を出力する。
【００３２】
ここでは、収納状態及び逆クローズ状態（閉状態）における磁界の向きを考慮して、操作パネル面５ａに平行な磁界を検出するための磁気検出素子として磁気抵抗（Magneto Resistance：ＭＲ）素子が用いられる。ＭＲ素子は、磁気抵抗効果を利用して主面に平行な磁界を検出するデバイスであり、磁界の強さが大きいほど電気抵抗が増加する性質を有する合金（具体的には、ニッケル、鉄、コバルトを主成分とする）からなる。このＭＲ素子を１つまたは複数用い、判定回路を組み込んでＭＲセンサー（第２の磁気検出手段）が形成される。
【００３３】
例えば、ＭＲセンサーとして３端子型のものが用いられ、磁束密度が０．５ｍＴ（テスラ）以下である場合に、電圧レベルがＨｉｇｈレベルとなる検出信号が生成され、磁束密度が２ｍＴ以上である場合に、電圧レベルがＬｏｗレベルとなる検出信号が生成される。つまり、ＭＲセンサーを貫く磁束密度が低いとオフし、開状態が検出され、磁束密度が高いとオンし、閉状態が検出される。
【００３４】
操作筐体３に対して表示筐体２を回転軸８のまわりに回転させる際、マグネット１３に対する第１の磁気検出手段１１の相対的位置の変化に応じて、第１の磁気検出手段１１を貫く磁力線が変化する。特に、第１の磁気検出手段１１における主面に垂直な磁力線が変化する。第１の磁気検出手段１１は、この磁界の変化に基づいてオン・オフするスイッチングデバイスであり、磁気検出素子からなる。この第１の磁気検出手段１１は、端末における回転・非回転状態に応じた検出信号を出力する。
【００３５】
ここでは、収納状態及び通常オープン状態（非回転状態）における磁界の向きを考慮して、表示筐体２の長手方向に平行な磁界を検出するための磁気検出素子として半導体ホール素子が用いられる。ホール素子は、ホール効果を利用して主面に垂直な磁界を検出するデバイスである。このホール素子を用いてホールセンサー（第１の磁気検出手段）が形成される。
【００３６】
例えば、ホールセンサーとしてホール素子、オペレーションアンプ及びコンパレータからなる３端子型のＩＣチップが用いられ、磁束密度が低い場合に、電圧レベルがＨｉｇｈレベルとなる検出信号が生成され、磁束密度が高い場合に、電圧レベルがＬｏｗレベルとなる検出信号が生成される。
【００３７】
一般に、ＭＲセンサーはホールセンサーに比べて磁気感度が良い。従って、端末の開閉動作において、マグネット１３との距離の変化量が小さい第２の磁気検出手段１２としては、ＭＲセンサーを用いるのがホールセンサーを用いるよりも望ましい。
【００３８】
また、主面に垂直な方向に磁界を形成するマグネットは、磁界が主面に平行な方向（横方向）に広がり易いので、主面に平行な磁界を形成するマグネットよりも、端末状態の検出には好適である。特に、ＭＲセンサーによる磁界の検出では、主面に平行な磁界を形成するマグネットを用いると、磁界がマグネットの横方向に広がりにくいので、ＭＲセンサーの厚み方向における磁界の変化が大きくなり、端末状態の検出が容易ではない。
【００３９】
図４は、図１の携帯情報端末における磁気センサーの検出動作の一例を端末状態ごとに示した図である。収納状態（状態［１］）では、ホールセンサー（第１の磁気検出手段１１）及びＭＲセンサー（第２の磁気検出手段１２）がともにマグネット１３に近接し、いずれもオン状態となる。通常オープン状態（状態［２］）では、ホールセンサーがマグネット１３に近接してオン状態となる一方、ＭＲセンサーがマグネット１３から遠ざかりオフ状態となる。
【００４０】
逆オープン状態（状態［３］）では、ホールセンサー及びＭＲセンサーがともにマグネット１３から遠ざかり、いずれもオフ状態となる。逆クローズ状態（状態［４］）では、ホールセンサーがマグネット１３から遠ざかりオフ状態となる一方、ＭＲセンサーがマグネット１３に近接してオン状態となる。
【００４１】
ホールセンサー及びＭＲセンサーは、それぞれオン・オフ状態に応じて検出信号を出力し、ＣＰＵにより各端末状態が識別される。これにより、各端末状態に応じて適切に動作制御を行うことができる。
【００４２】
図５（ａ）及び（ｂ）は、磁気センサーの構成例を示した外観斜視図であり、図５（ａ）には、主面に垂直な磁界を検出するホールセンサーの様子が示され、主面に平行な磁界を検出するＭＲセンサーの様子が示されている。このホールセンサー（第１の磁気検出手段１１）は、３つの接続端子２２を有するチップ状のデバイスであり、主面に垂直な方向の磁界の検出を行っている。
【００４３】
また、ＭＲセンサー（第２の磁気検出手段１２）は、３つの接続端子２３を有するチップ状のデバイスであり、主面に平行な方向の磁界の検出を行っている。
【００４４】
なお、ホールセンサー及びＭＲセンサーでは、いずれも消費電力を低減させるために、間欠動作が行われる。具体的には、各センサーがＣＰＵから５０ｍＳに１回の割合で伝送されるパルス信号（パルス幅１ｍＳ）により駆動され、このパルス信号に同期して検出信号が出力される。
【００４５】
端末が閉状態にあるとき、操作筐体３に対して表示筐体２を回転軸８のまわりに回転させることはできない。従って、ＭＲセンサーがオン状態となり、端末が閉状態であることが検出された場合、ホールセンサーに対する電力供給をカットするように構成しても良い。このようにすれば、さらに消費電力を低減させることができる。
【００４６】
図６及び図７は、図１の携帯情報端末における磁気センサーの配置の一例を示した断面図であり、図６には、ホールセンサー、ＭＲセンサー及びマグネット１３の取り付け部位が示され、図７には、表示筐体２内のフレーム２６上に取り付けられるホールセンサーの詳細が示されている。
【００４７】
表示筐体２内には、プリント基板２４、金属製のフレーム２６及びフレキシブル基板２７が設けられている。プリント基板２４は、メインディスプレイや、サブディスプレイ、レシーバーなどを駆動制御するための回路を備え、主面が表示パネル面４ａと平行になるように配置されている。
【００４８】
フレキシブル基板２７は、操作筐体３（本体）からの信号や電力を表示筐体２に伝送するための伝送線を備え、その一部分がフレーム２６における表示パネル面４ａに垂直な面上に配置されている。
【００４９】
フレーム２６は、回転軸８を表示筐体２に取り付けるとともに表示筐体２を補強するための部材であり、回転軸８が取り付けられる主面が表示パネル面４ａと垂直になるように配置されている。すなわち、フレーム２６における主面は、回転軸８に垂直な面となっている。また、フレーム２６は、主面が表示筐体２の端面と平行になるように表示筐体２における連結部６側の端部に設けられている。これによって、回転軸８まわりの回転による表示筐体２のひねり方向の強度を向上させている。
【００５０】
ホールセンサー（第１の磁気検出手段１１）は、フレキシブル基板２７を介して、フレーム２６における表示パネル面４ａに垂直な主面上に配置される。すなわち、ホールセンサーは、主面が表示パネル面４ａと垂直になるように配置される。この様に配置すれば、ホールセンサーの取り付けが容易であるとともに、ホールセンサーを連結部６に近接させることができる。
【００５１】
ホールセンサー及びマグネット１３は、いずれも回転軸８に対しオフセットさせて設けられ、通常オープン状態において対向するように配置されている。ＭＲセンサー（第２の磁気検出手段１２）は、操作筐体３内におけるプリント基板２５上に配置される。プリント基板２５は、主面が操作パネル面５ａと平行になるように配置されており、ＭＲセンサーの主面も操作パネル面５ａと平行となっている。
【００５２】
フレーム２６における表示パネル面４ａに垂直な主面上に第１の磁気検出手段１１が取り付けられ、主面に垂直な方向の磁界を形成するマグネット１３が連結部６に取り付けられるので、検出される磁界の方向を考慮して、表示筐体２側にホールセンサー、操作筐体３側にＭＲセンサーを配置する組み合わせが磁気検出に効果的である。
【００５３】
なお、フレーム２６は、表示筐体２に直交する２つの方向からビス３１及び３３を用いて固定されている。すなわち、フレーム２６は、表示パネル面４ａに垂直なビス３１により、プリント基板２４を介して表示筐体２内の取り付け部３２に固定されているとともに、表示パネル面４ａに平行なビス３３により、フレキシブル基板２７及びホールセンサーを介して表示筐体２の端面に固定されている。
【００５４】
図８（ａ）及び（ｂ）は、図６のＭＲセンサーにおける検出動作の一例を示した状態遷移図であり、図８（ａ）には、電圧レベルが低い検出信号が出力される収納状態が示され、図８（ｂ）には、両筐体が僅かにオープンされ、検出信号の電圧レベルが切り替わる端末状態が示されている。
【００５５】
回転軸７に関し、操作筐体３に対する表示筐体２の回転角θが臨界角θｃを超えると、検出信号の電圧レベルは低い状態から高い状態へ切り替わる。つまり、回転角θが臨界角θｃ以下となると、電圧レベルが低い状態に切り替わり、端末はクローズ状態であるとみなされる。一方、回転角θが臨界角θｃを超えると、電圧レベルが高い状態に切り替わり、端末はオープン状態であるとみなされる。なお、臨界角θｃは、ＭＲセンサーにおける閾値に基づいて定められる。
【００５６】
逆クローズ状態及び逆オープン状態間で遷移させる場合も、上述した収納状態及び通常オープン状態間で遷移させる場合と同様にして、開閉状態の検出が行われる。この様にして、ＭＲセンサーを用いることにより、両筐体が閉じた状態であるのか、或いは、開いた状態であるのかを識別することができる。
【００５７】
図９（ａ）及び（ｂ）は、図６のホールセンサーにおける検出動作の一例を示した状態遷移図であり、図９（ａ）には、電圧レベルが低い検出信号が出力される非回転状態が示され、図９（ｂ）には、操作筐体３に対し表示筐体２が僅かに回転され、検出信号の電圧レベルが切り替わる端末状態が示されている。
【００５８】
回転軸８に関し、操作筐体３に対する表示筐体２の回転角φが臨界角φｃを超えると、検出信号の電圧レベルは低い状態から高い状態へ切り替わる。つまり、回転角φが臨界角φｃ以下となると、電圧レベルが低い状態に切り替わり、端末は非回転状態であるとみなされる。一方、回転角φが臨界角φｃを超えると、電圧レベルが高い状態に切り替わり、端末は回転状態であるとみなされる。なお、臨界角φｃは、ホールセンサーにおける閾値に基づいて定められる。
【００５９】
ＭＲセンサー及びホールセンサーによる検出結果に基づいて、各端末状態、すなわち、収納状態、通常オープン状態、逆オープン状態及び逆クローズ状態の識別が行われる。具体的には、クローズ状態であり、かつ、非回転状態である場合に収納状態とみなされ、オープン状態であり、かつ、非回転状態である場合に通常オープン状態とみなされる。また、オープン状態であり、かつ、回転状態である場合に逆オープン状態とみなされ、クローズ状態であり、かつ、回転状態である場合に逆クローズ状態とみなされる。
【００６０】
図１０は、図１の携帯情報端末におけるヒンジ機構の一例を詳細に示した斜視図である。回転軸７は、その両端が一対の軸受けにより軸支され、この軸受けを介して操作筐体３に取り付けられている。一方、回転軸８は、その先端がフレーム２６の主面上に設けられた軸受けにより軸支され、フレーム２６を介して表示筐体２に取り付けられている。
【００６１】
本実施の形態によれば、連結部６に設けられた１つのマグネット１３がホールセンサー及びＭＲセンサーによる各端末状態の識別に共用されるので、磁気検出手段ごとにマグネットを設けるのに比べ、端末状態の検出に係る部品点数を削減することができる。従って、構造が複雑化することなく、各端末状態を効果的に識別することができる。
【００６２】
なお、本実施の形態では、主面に垂直な方向に磁界を形成するマグネット１３が連結部６に取り付けられる場合の例について説明したが、本発明はこれに限られるものではない。例えば、主面に平行な方向に磁界を形成するマグネットを用いるようなものであっても良い。
【００６３】
図１１は、本発明の実施の形態１による携帯情報端末における他の構成例を示した断面図であり、磁気センサーの配置の様子が示されている。連結部６に配置されるマグネット４３は、主面に平行な方向に磁界を形成する磁石片であり、回転軸７及び８に垂直な方向に磁界を形成するように配置されている。ここでは、検出される磁界の方向を考慮して、表示筐体２側にＭＲセンサー４１が配置され、操作筐体３側にホールセンサー４２が配置されている。すなわち、ＭＲセンサー４１は、表示パネル面４ａに垂直な方向の磁界を検出する磁気検出手段として用いられ、ホールセンサー４２は、操作パネル面５ａに垂直な磁界を検出する磁気検出手段として用いられる。この様な構成によっても、１つのマグネット４３を共用して端末状態の識別を効果的に行うことができる。
【００６４】
また、本実施の形態では、ホールセンサーが表示パネル面４ａと垂直な方向にマウントされ、ＭＲセンサーがプリント基板２５に平行にマウントされる場合の例について説明したが、本発明はこれに限られるものではない。例えば、ＭＲセンサーを表示パネル面４ａと平行な方向にマウントし、ホールセンサーをプリント基板２５に垂直にマウントするようなものであっても良い。
【００６５】
図１２は、本発明の実施の形態１による携帯情報端末における他の構成例を示した断面図であり、磁気センサーの配置の様子が示されている。操作筐体３側に設けられるホールセンサー５２は、プリント基板２５上に垂直に取り付けられている。すなわち、ホールセンサー５２は、主面がプリント基板２５の基板面と垂直となるように配置されている。また、表示筐体２側に設けられるＭＲセンサーは、主面が表示パネル面４ａと平行となるように配置されている。この様な構成によっても、１つのマグネット１３を共用して端末状態の識別を効果的に行うことができる。
【図面の簡単な説明】
【００６６】
【図１】本発明の実施の形態１による携帯情報端末の一構成例を示した外観斜視図である。
【図２】図１の携帯情報端末における端末状態の遷移の一例を示した側面図である。
【図３】図１の携帯情報端末における端末状態の遷移の一例を示した図である。
【図４】図１の携帯情報端末における磁気センサーの検出動作の一例を端末状態ごとに示した図である。
【図５】磁気センサーの構成例を示した外観斜視図である。
【図６】図１の携帯情報端末における磁気センサーの配置の一例を示した断面図である。
【図７】図１の携帯情報端末における磁気センサーの配置の一例を示した断面図である。
【図８】図６のＭＲセンサーにおける検出動作の一例を示した状態遷移図である。
【図９】図６のホールセンサーにおける検出動作の一例を示した状態遷移図である。
【図１０】図１の携帯情報端末におけるヒンジ機構の一例を詳細に示した斜視図である。
【図１１】本発明の実施の形態１による携帯情報端末における他の構成例を示した断面図である。
【図１２】本発明の実施の形態１による携帯情報端末における他の構成例を示した断面図である。
【図１３】従来の折り畳み式の携帯電話機の構成例を示した外観斜視図である。
【図１４】図１３の携帯電話機における端末状態を示した側面図である。
【図１５】図１３の携帯電話機における端末状態を示した平面図である。
【符号の説明】
【００６７】
１  携帯情報端末
２  表示筐体（第１の筐体）
３  操作筐体（第２の筐体）
４  表示パネル
５  操作パネル
６  連結部
７，８  回転軸
９  サイドキー
１１  第１の磁気検出手段（ホールセンサー）
１２  第２の磁気検出手段（ＭＲセンサー）
１３，４３  マグネット
２１  デジタルカメラ
２２，２３  接続端子
２４，２５  プリント基板
２６  フレーム
２７  フレキシブル基板
４１，５１  ＭＲセンサー
４２，５２  ホールセンサー
【図１】
2005303688.tif 000003
【図２】
2005303688.tif 000004
【図３】
2005303688.tif 000005
【図４】
2005303688.tif 000006
【図５】
2005303688.tif 000007
【図６】
2005303688.tif 000008
【図７】
2005303688.tif 000009
【図８】
2005303688.tif 000010
【図９】
2005303688.tif 000011
【図１０】
2005303688.tif 000012
【図１１】
2005303688.tif 000013
【図１２】
2005303688.tif 000014
【図１３】
2005303688.tif 000015
【図１４】
2005303688.tif 000016
【図１５】
2005303688.tif 000017